(57)【要約】  本考案の第一実施例によるショックリーダースイベルは、一端が釣竿の道糸と結合され、引張力を有するショックリーダー部と、一端が前記ショックリーダー部の他端に回転可能に結合されて道糸とショックリーダー部の撚れを防止するスイベル部と、一端が前記スイベル部に結合されるクリップ部とを含む。
2019524118.tif 000002
【特許請求の範囲】
【請求項１】
一端が釣竿の道糸と結合され、引張力を有するショックリーダー部と、
一端が前記ショックリーダー部の他端に回転可能に結合されて道糸とショックリーダー部の撚れを防止するスイベル部と、
一端が前記スイベル部に結合されるクリップ部と、を含むショックリーダースイベル。
【請求項２】
前記ショックリーダー部は、一端が前記道糸と結合されるように第１結合部が形成され、他端は前記スイベル部の一端が結合されるように第２結合部が形成され、
第１結合部と第２結合部との間には引張力を有する弾性体が形成される請求項１に記載のショックリーダースイベル。
【請求項３】
前記弾性体は複数のコイルが巻き取られたコイルスプリングからなり、巻き取られたコイルの回数とコイルの厚さによって前記弾性体の引張力が調節される請求項２に記載のショックリーダースイベル。
【請求項４】
前記スイベル部は、
前記第２結合部に結合される第１輪掛金部と、
前記クリップ部の一端が結合される第２輪掛金部と、
前記第１輪掛金部及び第２輪掛金部が上部と下部に回転可能に前記第１輪掛金部及び第２輪掛金部が挿入結合されるボディー部と、を含み、
前記ボディー部は内部が中空状に形成され、上部と下部には前記第１輪掛金部及び第２輪掛金部が挿入されて結合されるように第１挿入孔及び第２挿入孔が形成された請求項２に記載のショックリーダースイベル。
【請求項５】
前記第１輪掛金部は、
前記第２結合部に結合され、一側が開口部を有する第１結合リムと、
前記開口部で下部へ延長して形成され、前記第１挿入孔に挿入される一対の第１挿入ピンと、
前記一対の第１挿入ピンの一端がそれぞれ内側へ延長して前記第１挿入孔の外側枠に結合されて、前記ボディー部の内部で第１輪掛金部の離脱を防止する第１離脱防止ピンと、を含み、
前記第２輪掛金部は、
前記クリップ部の一端が結合され、一側が開口部を有する第２結合リムと、
前記開口部で上部へ延長して形成され、前記第２挿入孔に挿入される一対の第２挿入ピンと、
前記一対の第２挿入ピンの一端がそれぞれ内側へ延長して前記第２挿入孔の外側枠に結合されて、前記ボディー部の内部で第２輪掛金部の離脱を防止する第２離脱防止ピンと、を含む請求項４に記載のショックリーダースイベル。
【請求項６】
前記クリップ部は、
前記第２輪掛金部の引き入れ及び引き出し可能に一側両端が相互結合及び分離可能な第１開放部及び第２開放部と、
前記第１開放部の一端で垂直幅が減少しながら起立されて延長される第１延長部と、
前記第２開放部の一端で垂直幅が減少しながら起立されて延長される第２延長部と、
前記第１延長部及び第２延長部の他端が互いに連結されて、前記第２輪掛金部が安着され、前記第２開放部が前記第１開放部で結合及び分離可能な弾性力を提供することができるように外側がラウンド状に形成された弾性部とを含み、
前記第１開放部は前記第２開放部が第１開放部で結合及び分離可能に多段に内側が折曲された係止フックを形成し、前記第２開放部は一端が外側に弯曲されるように折曲されて前記第１開放部の係止フックが結合されることができる係止孔を形成する請求項５に記載のショックリーダースイベル。
【請求項７】
一端が釣竿の道糸に回転可能に結合され、道糸の撚れを防止するスイベル部と、
前記スイベル部の他端に結合され、引張力を有するショックリーダー部と、
一端が前記ショックリーダー部に結合されるクリップ部と、を含み、
前記スイベル部は、
一端が前記道糸に結合され、他端はショックリーダー部の一端に結合されるように第１輪掛金部及び第２輪掛金部が形成され、前記第１輪掛金部と第２輪掛金部との間には前記第１輪掛金部及び第２輪掛金部が上部と下部に回転可能に挿入結合されるボディー部からなり、
前記ショックリーダー部は、
一端が前記第２輪掛金部に結合される第１結合部と、他端は前記クリップ部の一端が結合される第２結合部を形成し、前記第１結合部と第２結合部との間には複数のコイルが巻き取られて引張力を有するコイルスプリングからなる弾性体が形成されるショックリーダースイベル。
【請求項８】
前記ボディー部は内部が中空状に形成され、上部と下部には前記第１輪掛金部及び第２輪掛金部が挿入されて結合されるように第１挿入孔及び第２挿入孔が形成され、
前記第１輪掛金部は、
前記道糸に結合され、一側が開口部を有する第１結合リムと、
前記開口部で下部へ延長して形成され、前記第１挿入孔に挿入される一対の第１挿入ピンと、
前記一対の第１挿入ピンの一端がそれぞれ内側へ延長して前記第１挿入孔の外側枠に結合されて前記ボディー部の内部で第１輪掛金部の離脱を防止する第１離脱防止ピンとを含み、
前記第２輪掛金部は、
前記第１結合部に結合され、一側が開口部を有する第２結合リムと、
前記開口部で上部へ延長して形成され、前記第２挿入孔に挿入される一対の第２挿入ピンと、
前記一対の第２挿入ピンの一端がそれぞれ内側へ延長して前記第２挿入孔の外側枠に結合されて前記ボディー部の内部で第２輪掛金部の離脱を防止する第２離脱防止ピンと、を含む請求項７に記載のショックリーダースイベル。
【請求項９】
前記クリップ部は、
前記第２結合部が引き入れ及び引き出し可能に一側両端が相互結合及び分離可能な第１開放部及び第２開放部と、
前記第１開放部の一端で垂直幅が減少しながら起立されて延長される第１延長部と、
前記第２開放部の一端で垂直幅が減少しながら起立されて延長される第２延長部と、
前記第１延長部及び第２延長部の他端が互いに連結されて、前記第２結合部が安着され、前記第２開放部が前記第１開放部で結合及び分離可能な弾性力を提供することができるように外側がラウンド状に形成された弾性部とを含み、
前記第１開放部は前記第２開放部が第１開放部で結合及び分離可能に多段に内側が折曲された係止フックを形成し、前記第２開放部は一端が外側に弯曲されるように折曲されて前記第１開放部の係止フックが結合されることができる係止孔を形成する請求項７に記載のショックリーダースイベル。
【発明の詳細な説明】
【技術分野】
【０００１】
本考案はショックリーダースイベルに関し、より詳しくは、釣竿の道糸に連結されたショックリーダーがなくても道糸の切れを防止することができるショックリーダースイベルに関する。
【背景技術】
【０００２】
一般に、釣竿の道糸は釣りオモリと人工餌などが連結されるもので、ＰＥラインからなって細いながらも強いが、瞬間的な衝撃に弱くて大型の魚種の引き上げ及びキャスティング時切れやすいという短所があり、これを補うために道糸にナイロンやカーボン糸からなるショックリーダーを道糸に連結して用いる。
【０００３】
前記ショックリーダーは数本を道糸によって連結して道糸から所定の間隔を保持するようにし、道糸で解けたり巻かれるようにして道糸の撚れを防止し、瞬間的な衝撃によって道糸が切れることを防止する。
【０００４】
しかしながら、前記のようなショックリーダーは大型魚種を引き上げる時に発生する瞬間的な衝撃によって道糸とショックリーダーの結び目または釣りオモリ及び人工餌などが連結された結び目部分が切れてしまうという問題点があった。
【０００５】
また、前記ショックリーダーは大型魚種の捕獲のために重い人造餌を水面にキャスティング時に道糸と連結部位が瞬間的な衝撃で破損されて道糸とショックリーダーの結び目部分が瞬間的な衝撃によって破損されて道糸にショックリーダーを再び結合して用いなければならないという問題点があった。
【０００６】
そして、前記道糸はＰＥラインからなるため、道糸の繰り返される撚れによって蓄積された撚れ変形力によってショックリーダーの復元力が低下してショックリーダーを一定期間使用した後は取り替えなければならないという問題点があった。
【０００７】
特に、前記ショックリーダーは道糸に数本をよって結合しなければならないため、ショックリーダーが破損または一定時間を使用した後取り替える場合には作業者の迅速な取り替えが難しく、作業時間が長くなるという問題点があった。
【０００８】
本発明の先行技術となる先行文献としては、大韓民国公開特許公報第１０−２０１５−００１４００４号などがある。
【発明の概要】
【発明が解決しようとする課題】
【０００９】
本考案の一実施例は前記のような問題点を解決するためのもので、多様な釣糸の最大引張力と同じ引張力を有するショックリーダー部が道糸に結合され、ショックリーダー部で回転可能に結合されるスイベル部を通じて魚の引き上げ時に道糸の撚れを防止し、引張力を有するショックリーダー部を通じて魚の引き上げ時に道糸とショックリーダー部が切れることを防止することができるショックリーダースイベルを提供することを目的とする。
【課題を解決するための手段】
【００１０】
本考案の第一実施例によるショックリーダースイベルは、一端が釣竿の道糸と結合され、引張力を有するショックリーダー部と、一端が前記ショックリーダー部の他端に回転可能に結合されて道糸とショックリーダー部の撚れを防止するスイベル部と、一端が前記スイベル部に結合されるクリップ部とを含む。
【００１１】
また、前記ショックリーダー部は、一端が前記道糸と結合されるように第１結合部が形成され、他端は前記スイベル部の一端が結合されるように第２結合部が形成され、第１結合部と第２結合部との間には引張力を有する弾性体で構成されることができる。
【００１２】
また、前記弾性体は複数のコイルが巻き取られたコイルスプリングからなり、巻き取られたコイルの回数とコイルの厚さによって前記弾性体の引張力が調節されることができる。
【００１３】
また、前記スイベル部は、前記第２結合部に結合される第１輪掛金部と、前記クリップ部の一端が結合される第２輪掛金部と、前記第１輪掛金部及び第２輪掛金部が上部と下部に回転可能に前記第１輪掛金部及び第２輪掛金部が挿入結合されるボディー部とを含み、前記ボディー部は内部が中空状に形成され、上部と下部には前記第１輪掛金部及び第２輪掛金部が挿入されて結合されるように第１挿入孔及び第２挿入孔が形成されることができる。
【００１４】
また、前記第１輪掛金部は前記第２結合部に結合され、一側が開口部を有する第１結合リムと、前記開口部で下部へ延長して形成されて、前記第１挿入孔に挿入される一対の第１挿入ピンと、一対の第１挿入ピンの一端がそれぞれ内側へ延長して前記第１挿入孔の外側枠に結合されて、前記ボディー部の内部で第１輪掛金部の離脱を防止する第１離脱防止ピンとを含み、前記第２輪掛金部は、前記クリップ部の一端が結合され、一側が開口部を有する第２結合リムと、前記開口部で上部へ延長して形成され、前記第２挿入孔に挿入される一対の第２挿入ピンと、前記一対の第２挿入ピンの一端がそれぞれ内側へ延長して前記第２挿入孔の外側枠に結合されて、前記ボディー部の内部で第２輪掛金部の離脱を防止する第２離脱防止ピンとを含むことができる。
【００１５】
また、前記クリップ部は、前記第２輪掛金部の引き入れ及び引き出し可能に一側両端が相互結合及び分離可能な第１開放部及び第２開放部と、前記第１開放部の一端で垂直幅が減少しながら起立されて延長される第１延長部と、前記第２開放部の一端で垂直幅が減少しながら起立されて延長される第２延長部と、前記第１延長部及び第２延長部の他端が互いに連結されて前記第２輪掛金部が安着され、前記第２開放部が前記第１開放部で結合及び分離可能な弾性力を提供することができるように外側がラウンド状に形成された弾性部とを含み、前記第１開放部は前記第２開放部が第１開放部で結合及び分離可能に多段に内側が折曲された係止フックを形成し、前記第２開放部は一端が外側に弯曲されるように折曲されて前記第１開放部の係止フックが結合されることができる係止孔を形成することができる。
【００１６】
本考案の第二実施例によるショックリーダースイベルは、一端が釣竿の道糸に回転可能に結合され、道糸の撚れを防止するスイベル部と、前記スイベル部の他端に結合され、引張力を有するショックリーダー部と、一端が前記ショックリーダー部に結合されるクリップ部とを含み、前記スイベル部は一端が前記道糸に結合され、他端はショックリーダー部の一端に結合されるように第１輪掛金部及び第２輪掛金部が形成され、前記第１輪掛金部と第２輪掛金部との間には前記第１輪掛金部及び第２輪掛金部が上部と下部に回転可能に挿入結合されるボディー部からなり、前記ショックリーダー部は一端が前記第２輪掛金部に結合される第１結合部と、他端は前記クリップ部の一端が結合される第２結合部を形成し、前記第１結合部と第２結合部との間には複数のコイルが巻き取られて引張力を有するコイルスプリングからなる弾性体で構成される。
【００１７】
また、前記ボディー部は内部が中空状に形成され、上部と下部には前記第１輪掛金部及び第２輪掛金部が挿入されて結合されるように第１挿入孔及び第２挿入孔が形成され、前記第１輪掛金部は前記道糸に結合され、一側が開口部を有する第１結合リムと、前記開口部で下部へ延長して形成され、前記第１挿入孔に挿入される一対の第１挿入ピンと、前記一対の第１挿入ピンの一端がそれぞれ内側へ延長して前記第１挿入孔の外側枠に結合されて、前記ボディー部の内部で第１輪掛金部の離脱を防止する第１離脱防止ピンとを含み、前記第２輪掛金部は前記第１結合部に結合され、一側が開口部を有する第２結合リムと、前記開口部で上部へ延長して形成され、前記第２挿入孔に挿入される一対の第２挿入ピンと、前記一対の第２挿入ピンの一端がそれぞれ内側へ延長して前記第２挿入孔の外側枠に結合されて、前記ボディー部の内部で第２輪掛金部の離脱を防止する第２離脱防止ピンとを含むことができる。
【００１８】
また、前記クリップ部は、前記第２結合部が引き入れ及び引き出し可能に一側両端が相互結合及び分離可能な第１開放部及び第２開放部と、前記第１開放部の一端で垂直幅が減少しながら起立されて延長される第１延長部と、前記第２開放部の一端で垂直幅が減少しながら起立されて延長される第２延長部と、前記第１延長部及び第２延長部の他端が互いに連結されて、前記第２結合部が安着され、前記第２開放部が前記第１開放部で結合及び分離可能な弾性力を提供することができるように外側がラウンド状に形成された弾性部とを含み、前記第１開放部は前記第２開放部が第１開放部で結合及び分離可能に多段に内側が折曲された係止フックを形成し、前記第２開放部は一端が外側に弯曲されるように折曲されて前記第１開放部の係止フックが結合されることができる係止孔を形成することができる。
【発明の効果】
【００１９】
本考案の実施例によるショックリーダースイベルは多様な釣糸の最大引張力と同じ引張力を有するショックリーダー部が道糸に結合されて魚の引き上げ時に発生する衝撃を効果的に吸収して道糸とショックリーダー部が切れることを防止し、道糸の切れによるショックリーダーを道糸に再結合する作業時間を短縮させることができる。
【００２０】
また、魚を釣るために仕掛けを水面に投げるキャスティング時にショックリーダー部が引張力によって変形されてキャスティング時に発生する衝撃を吸収して道糸が切れる現象を防止することができる。
【００２１】
また、ショックリーダー部に回転可能に結合されるスイベル部を通じて魚の引き上げ時に道糸の撚れを防止し、道糸の撚れによって誘発される道糸の破損を防止することができる。
【図面の簡単な説明】
【００２２】
【図１】本考案の第１実施例によるショックリーダースイベルが釣糸に結合された状態を示した図面である。
【図２】図１におけるショックリーダースイベルを示した図面である。
【図３】図１におけるスイベル部を示した図面である。
【図４】本考案の第２実施例によるショックリーダースイベルを示した図面である。
【図５】図４におけるスイベル部を示した図面である。
【図６】図１の使用状態図である。
【発明を実施するための形態】
【００２３】
以下、添付図面を参照して本考案の実施例に対して本考案が属する技術分野で通常の知識を有する者が容易に実施することができるように詳しく説明する。どころが、本考案は各種様々な形態で具現されることができ、ここで説明する実施例に限定されない。
【００２４】
本考案を明確に説明するために説明と関係ない部分は省略し、明細書全体を通じて同一または類似する構成要素に対しては同じ参照符号を付けることにする。
【００２５】
図面で示した各構成の大きさ及び厚さは説明の便宜のために任意に示したもので、本考案が必ずしも図面に示したものに限定されず、複数の部分及び領域を明確に表現するために厚さを拡大して示した。
【００２６】
そして、下記の詳細な説明において構成の名称を第１、第２などに区分したのはその構成が同じであることからこれを区分するためのもので、下記の説明で必ずその順序に限定されるのではない。
【００２７】
明細書全般において、ある部分がある構成要素を「含む」とする時、これは特別に反対する記載がない限り他の構成要素を除くのではなく、他の構成要素をさらに含むことができることを意味する。
【００２８】
また、本明細書に記載された「…ユニット」、「…手段」、「…部」、「…部材」などの用語は少なくとも一つの機能や動作をする包括的な構成の単位を意味する。
【００２９】
図１は本考案の第１実施例によるショックリーダースイベルが釣糸に結合された状態を示した図面であり、図２は図１におけるショックリーダースイベルを示した図面であり、図３は図１におけるスイベル部を示した図面である。
【００３０】
図１〜図３を参照すれば、本考案の第１実施例によるショックリーダースイベル１００は、釣竿１０の道糸２０に一端が連結され、他端には釣りオモリ（図示しない）、釣り針（図示しない）及び人工餌３０の何れか一つが結合されて、仕掛け、キャスティング及び魚の引き上げ時に道糸２０の撚れ及び道糸２０の切れを防止する。
【００３１】
このために、前記ショックリーダースイベル１００はショックリーダー部１１０、スイベル部１２０及びクリップ部１３０を含む。
【００３２】
前記ショックリーダー部１１０は一端が釣竿１０の道糸２０と結合されるように第１結合部１１１と第２結合部１１２及び弾性体１１３を含む。
【００３３】
前記第１結合部１１１は道糸２０と結合されるように一端がリング状に形成される。
【００３４】
ここで、前記道糸２０は第１結合部１１１から分離しないように結び目を作って結合される。
【００３５】
一方、前記第１結合部１１１の外周面にはゴムコーティング層１１１ａが形成されて、道糸２０と第１結合部１１１で発生する摩擦力を最小化して道糸２０が摩擦力によって破損されることを最小化することができる。
【００３６】
そして、前記第２結合部１１２はスイベル部１２０の一端が結合されるように他端がリング状に形成される。
【００３７】
前記弾性体１１３は第１結合部１１１と第２結合部１１２との間に形成され、引張力を有するように複数のコイルが巻き取られたコイルスプリングからなる。
【００３８】
ここで、前記弾性体１１３は巻き取られたコイルの回数とコイルの厚さによって弾性体１１３の引張力が調節される。
【００３９】
前記弾性体１１３はコイルの回数と厚さによって引張力の調節が可能であるので、魚種の大きさによって多様な引張力を要求する多様な大きさの釣竿１０に適用可能である。
【００４０】
即ち、前記弾性体１１３は多様な釣糸の最大引張力と同じ引張力を有するように設計されて多様な釣竿１０に適用可能である。
【００４１】
そして、前記スイベル部１２０は一端がショックリーダー部１１０の第２結合部１１２に回転可能に結合されて道糸２０とショックリーダー部１１０の撚れを防止するもので、第１輪掛金部１２１、第２輪掛金部１２２及びボディー部１２３を含む。
【００４２】
前記第１輪掛金部１２１は第２結合部１１１に結合されるもので、一側が開口部１２１ｂを有する第１結合リム１２１ａからなる。
【００４３】
前記第１輪掛金部１２１は開口部１２１ｂで下部へ延長して形成され、ボディー部１２３の上部に挿入される一対の第１挿入ピン１２１ｃが形成される。
【００４４】
ここで、前記ボディー部１２３は内部が中空状に形成され、上部と下部には第１輪掛金部１２１及び第２輪掛金部１２２が挿入されて結合されるように第１挿入孔１２３ａ及び第２挿入孔１２３ｂが形成される。
【００４５】
そして、前記一対の第１挿入ピン１２１ｃは一端がそれぞれ内側へ延長して第１挿入孔１２３ａの外側枠に結合されて、ボディー部１２３の内部で第１輪掛金部１２１の離脱を防止する第１離脱防止ピン１２１ｄを形成する。
【００４６】
前記第２輪掛金部１２２はクリップ部１３０の一端が結合され、一側が開口部１２２ｂを有する第２結合リム１２２ａからなり、開口部１２２ｂで上部へ延長して形成され、第２挿入孔１２３ａに挿入される一対の第２挿入ピン１２２ｃが形成される。
【００４７】
そして、前記一対の第２挿入ピン１２２ｃは一端がそれぞれ内側へ延長して第２挿入孔１２３ｂの外側枠に結合されて、ボディー部１２３の内部で第２輪掛金部１２２の離脱を防止する第２離脱防止ピン１２２ｄを形成する。
【００４８】
即ち、前記第１輪掛金部１２１及び第２輪掛金部１２２はボディー部１２３の上下部に回転可能にボディー部１２３に挿入結合されてボディー部１２３で回転するので、魚の引き上げ時に道糸２０が撚れる現象を防止して、道糸２０の破損を防止することができる。
【００４９】
そして、前記クリップ部１３０は一端がスイベル部１２０の第２輪掛金部１２２に結合され、他端には釣りオモリ（図示しない）、釣り針（図示しない）及び人工餌３０の中の何れか一つが結合されるもので、第１開放部１３１、第１延長部１３２、第２開放部１３３、第２延長部１３４、弾性部１３５を含む。
【００５０】
前記第１開放部１３１及び第２開放部１３３は第２輪掛金部１２２の引き入れ及び引き出し可能に一側両端が相互結合及び分離可能に形成される。
【００５１】
そして、前記第１開放部１３１は第２開放部１３３が第１開放部１３１で結合及び分離可能に多段に内側が折曲された係止フック１３１ａを形成する。
【００５２】
前記第２開放部１３３は一端が外側に弯曲されるように折曲されて前記第１開放部１３１の係止フック１３１ａが結合されることができる係止孔１３３ａを形成する。
【００５３】
そして、前記第１延長部１３２は第１開放部１３１の一端で垂直幅が減少しながら起立されて延長される。
【００５４】
前記第２延長部１３４は第２開放部１３３の一端で垂直幅が減少しながら起立されて延長される。
【００５５】
そして、前記弾性部１３５は第１延長部１３２及び第２延長部１３４の他端が互いに連結されて、第２輪掛金部１２２が安着され、第２開放部１３３が前記第１開放部１３１で結合及び分離可能な弾性力を提供することができるように外側がラウンド状に形成される。
【００５６】
即ち、前記弾性部１３５は第２延長部１３４が変形されて第１開放部１３１に結合及び分離されることができるように弾性変形力を提供することができる。
【００５７】
一方、前記クリップ部１３０の係止フック１３１ａと係止孔１３３ａを通じて第１開放部１３１及び第２開放部１３３が結合された状態では第１開放部１３１及び第２開放部１３３の内部に釣りオモリ（図示しない）、釣り針（図示しない）及び人工餌３０の中の何れか一つが結合されることができる。
【００５８】
図４は本考案の第２実施例によるショックリーダースイベルを示した図面であり、図５は図４におけるスイベル部を示した図面である。
【００５９】
図４及び図５を参照すれば、本考案の第２実施例によるショックリーダースイベル２００はスイベル部２１０、ショックリーダー部２２０及びクリップ部２３０を含む。
【００６０】
前記スイベル部２１０は一端が釣竿１０の道糸２０に回転可能に結合され、道糸２０の撚れを防止するもので、スイベル部２１０は、一端は道糸２０に結合され、他端はショックリーダー部２２０の一端に結合されるように第１輪掛金部２１１及び第２輪掛金部２１２が形成され、第１輪掛金部２１１と第２輪掛金部２１２との間には第１輪掛金部２１１及び第２輪掛金部２１２が上部と下部に回転可能に挿入結合されるボディー部２１３が形成される。
【００６１】
即ち、前記第１輪掛金部２１１及び第２輪掛金部２１２はボディー部２１３の上下部に回転可能にボディー部２１３に挿入結合されてボディー部２１３で回転するので、魚の引き上げ時に道糸２０が撚れる現象を防止して、道糸２０の破損を防止することができる。
【００６２】
ここで、前記ボディー部２１３は内部が中空状に形成され、上部と下部には第１輪掛金部２１１及び第２輪掛金部２１２が挿入されて結合されるように第１挿入孔２１３ａ及び第２挿入孔２１３ｂが形成される。
【００６３】
前記第１輪掛金部２１１は道糸２０に結合されるもので、開口部２１１ｂを有する第１結合リム２１１ａを形成し、一対の第１挿入ピン２１１ｃ、第１離脱防止ピン２１１ｄからなり、第１挿入ピン２１１ｃ、第１離脱防止ピン２１１ｄは本考案の第１実施例で説明した第１挿入ピン１２１ｃ、第１離脱防止ピン１２１ｄと同じであるので、これに対する詳しい説明は省略する。
【００６４】
一方、前記道糸２０は第１結合リム２１１ａから分離しないように結び目を作って結合される。
【００６５】
そして、前記第１結合リム２１１ａの外周面にはゴムコーティング層２１１ｅが形成されることにより、道糸２０と第１結合リム２１１ａで発生する摩擦力を最小化して、道糸２０が摩擦力によって破損されることを最小化できる。
【００６６】
そして、前記第２輪掛金部２１２はショックリーダー部２２０の一端が結合されるもので、一側が開口部２１１ｂを有する第２結合リム２１２ａを形成し、一対の第２挿入ピン２１２ｃ、第２離脱防止ピン２１２ｄからなり、第２挿入ピン２１２ｃ、第２離脱防止ピン２１２ｄは本考案の第１実施例で説明した第２挿入ピン１２２ｃ、第２離脱防止ピン１２２ｄと同じであるので、これに対する詳しい説明は省略する。
【００６７】
前記ショックリーダー部２２０はスイベル部２１０の第２輪掛金部２１２に結合され、引張力を有する弾性体２２３からなり、他端はクリップ部２３０の一端が結合される。
【００６８】
即ち、前記ショックリーダー部２２０はスイベル部２１０に結合され、魚の引き上げ時に発生する引張力を有する弾性体２２３の変形を通じて衝撃を吸収して道糸２０が衝撃によって切れることを防止する。
【００６９】
前記ショックリーダー部２２０の第１結合部２２１と第２結合部２２２及び弾性体２２３からなり、第１結合部２２１と第２結合部２２２及び弾性体２２３は本考案の第１実施例で説明したショックリーダー部１１０の第１結合部１１１と第２結合部１１２及び弾性体１１３と同じであるので、これに対する詳しい説明は省略する。
【００７０】
そして、前記クリップ部２３０は前記ショックリーダー部２２０の第２結合部２２２に結合され、他端には釣りオモリ（図示しない）、釣り針（図示しない）及び人工餌３０の中の何れか一つが結合されるもので、係止フック２３１ａと係止孔２３３ａを有する第１開放部２３１及び第２開放部２３３、及び第１延長部２３２及び第２延長部２３４及び弾性部２３５は本考案の第１実施例で説明した結合ホック１３１ａと係止孔１３３ａを有する第１開放部１３１、及び第２開放部１３３、第１延長部１３２及び第２延長部１３４、弾性部１３５と同じであるので、これに対する詳しい説明は省略する。
【００７１】
図６は図１の使用状態図である。
【００７２】
図６を参照して、本考案の第１実施例であるショックリーダースイベル１００の使用状態を説明すれば、次の通りである。
【００７３】
まず、前記ショックリーダー部１１０の第１結合部１１１に釣竿１０の道糸２０を結合する。
【００７４】
この時、前記道糸２０は第１結合部１１１から分離しないように結び目を作って結合する。
【００７５】
ここで、前記道糸２０は第１結合部１１１から分離しないように結び目を作って結合される。
【００７６】
一方、前記第１結合部１１１の外周面にはゴムコーティング層１１１ａが形成されて、道糸２０と第１結合部１１１で発生する摩擦力を最小化して道糸２０が摩擦力によって破損されることを最小化することができる。
【００７７】
そして、前記ショックリーダー部１１０の第２結合部１１２にスイベル部１２０の第１輪掛金部１２１を結合し、スイベル部１２０の第２輪掛金部１２２に釣りオモリ（図示しない）、釣り針（図示しない）及び人工餌３０の中何れの一つを結合して釣りの仕掛けを完了する。
【００７８】
このように、本考案のショックリーダースイベル１００を道糸２０に順次に連結すれば、水面でスイベル部１２０に結合された第１輪掛金部１２１及び第２輪掛金部１２２が回転するので、道糸２０が釣竿１０で回転して道糸２０が撚れことを防止する。
【００７９】
そして、魚が前記釣り針（図示しない）及び人工餌３０に食らい付いて引き上げる際にショックリーダー部１１０の弾性体１１３が引張力によって弾性変形し、引き上げ時に発生する衝撃を吸収して道糸２０が切れる現象を防止することができる。
【００８０】
以上説明したように、本考案の実施例によるショックリーダースイベル１００、２００は引張力を有するショックリーダー部１１０、２２０が道糸２０に結合されて、魚の引き上げ時に発生する衝撃を効果的に吸収して道糸２０とショックリーダー部１１１０、２２０が切れることを防止する。
【００８１】
即ち、前記ショックリーダー部１１０、２２０が道糸２０で切れないので、それによりショックリーダー部１１０、２２０を道糸２０に再結合する必要がなく、使用者の便宜性を提供することができる。
【００８２】
また、魚を捕るために釣り仕掛けを水面に投げるキャスティングショックリーダー部１１０、２２０が引張力によって変形されてキャスティング時に発生する衝撃を吸収して道糸２０が切れる現象を防止することができる。
【００８３】
また、前記ショックリーダー部１１０、２２０に回転可能に結合されるスイベル部１２０、２１０を通じて魚の引き上げ時に道糸２０が撚れることを防止し、道糸２０の撚れによって誘発される道糸２０の破損を防止することができる。
【００８４】
以上、本考案の実施例について説明したが、本考案は前記実施例に限定されず、本考案の実施例から本発明が属する技術分野で通常の知識を有する者によって容易に変更されて均等であると認められる範囲の全ての変更を含む。
【符号の説明】
【００８５】
１０：釣竿
２０：道糸
３０：人工餌
１００：ショックリーダースイベル
１１０：ショックリーダー部
１１１：第１結合部
１１１ａ：ゴムコーティング層
１１２：第２結合部
１１３：弾性体
１２０：スイベル部
１２１：第１輪掛金部
１２１ａ：第１結合リム
１２１ｂ：開口部
１２１ｃ：第１挿入ピン
１２１ｄ：第１離脱防止ピン
１２２：第２輪掛金部
１２２ａ：第２結合リム
１２２ｂ：開口部
１２２ｃ：第２挿入ピン
１２２ｄ：第２離脱防止ピン
１２３：ボディー部
１２３ａ：第１挿入孔
１２３ｂ：第２挿入孔
１３０：クリップ部
１３１：第１開放部
１３１ａ：係止フック
１３２：第１延長部
１３３：第２開放部
１３３ａ：係止孔
１３４：第２延長部
１３５：弾性部
２００：ショックリーダースイベル
２１０：スイベル部
２１１：第１輪掛金部
２１１ａ：第１結合リム
２１１ｂ：開口部
２１１ｃ：第１挿入ピン
２１１ｄ：第１離脱防止ピン
２１１ｅ：ゴムコーティング層
２１２：第２輪掛金部
２１２ａ：第２結合リム
２１２ｂ：開口部
２１２ｃ：第２挿入ピン
２１２ｄ：第２離脱防止ピン
２１３：ボディー部
２１３ａ：第１挿入孔
２１３ｂ：第２挿入孔
２２０：ショックリーダー部
２２１：第１結合部
２２２：第２結合部
２２３：弾性体
２３０：クリップ部
２３１：第１開放部
２３１ａ：係止フック
２３２：第１延長部
２３３：第２開放部
２３３ａ：係止孔
２３４：第２延長部
２３５：弾性部
【図１】
2019524118.tif 000003
【図２】
2019524118.tif 000004
【図３】
2019524118.tif 000005
【図４】
2019524118.tif 000006
【図５】
2019524118.tif 000007
【図６】
2019524118.tif 000008
【国際調査報告】
2019524118.tif 000009
2019524118.tif 000010
2019524118.tif 000011
2019524118.tif 000012